(57)【特許請求の範囲】
【請求項１】
土砂崩壊監視位置に少なくとも２本の第１ライン１３ａ、第２ライン１３ｂを張設して閉回路を構成するセンサーケーブル１３と、このセンサーケーブル１３の途中に所定間隔で設けられる崩壊検知ケース１４と、この崩壊検知ケース１４内で前記第１ライン１３ａと第２ライン１３ｂとを着脱自在に接続する手段と、前記崩壊検知ケース１４内における第１ライン１３ａと第２ライン１３ｂの少なくともいずれか一方に挿入され、所定角度以上の傾斜時に開放する傾斜スイッチ２４と、センサーケーブル１３の断線状態時に警報信号を出力する制御回路３０とを具備し、前記崩壊検知ケース１４内に設けた配線板２１に、接続端子２２ａ、２２ｂと、接続端子２３ａ、２３ｂの２対を設け、これらのうちの接続端子２２ａと２３ａとの間に傾斜スイッチ２４を挿入し、接続端子２２ｂと２３ｂとの間を短絡し、崩壊検知ケース１４内で切断されたセンサーケーブル１３のうち、一方のセンサーケーブル１３の第１ライン１３ａを接続端子２２ａに、第２ライン１３ｂを接続端子２２ｂにそれぞれ着脱自在に接続し、他方のセンサーケーブル１３の第１ライン１３ａを接続端子２３ａに、第２ライン１３ｂを接続端子２３ｂにそれぞれ着脱自在に接続してなることを特徴とする土砂崩壊検知装置。
【請求項２】
接続端子２３ａと２３ｂとの間に、スイッチ２７付きの表示灯２６を挿入してなることを特徴とする請求項１記載の土砂崩壊検知装置。
【請求項３】
崩壊検知ケース１４は、土砂崩壊監視位置に差し込んだケース支持杭１５の上端部であって、監視時には、傾斜スイッチ２４が閉じ、土砂崩壊時には、崩壊検知ケース１４とケース支持杭１５がセンサーケーブル１３により宙吊り状態のとき所定角度以上傾斜して傾斜スイッチ２４が開放するように取り付けてなることを特徴とする請求項１記載の土砂崩壊検知装置。
【請求項４】
隣合う崩壊検知ケース１４の間のセンサーケーブル１３に保護管１９を被せ、この保護管１９における隣合う崩壊検知ケース１４の間の中間位置を１又は複数個のケーブル支持杭１６で保持してなることを特徴とする請求項１記載の土砂崩壊検知装置。
【請求項５】
土砂崩壊監視位置に３本の第１ライン１３ａ、第２ライン１３ｂ、第３ライン１３ｃを張設し、このうちの２本の第１ライン１３ａ、第２ライン１３ｂに端末の抵抗３９を挿入して閉回路を構成するセンサーケーブル１３と、このセンサーケーブル１３の途中に所定間隔で設けられる崩壊検知ケース１４と、この崩壊検知ケース１４内で前記第１ライン１３ａと第２ライン１３ｂとを着脱自在に接続する手段と、前記崩壊検知ケース１４内における第１ライン１３ａと第２ライン１３ｂの少なくともいずれか一方に挿入され、所定角度以上の傾斜時に開放する傾斜スイッチ２４と、センサーケーブル１３の断線状態時に警報信号を出力する制御回路３０と、端末における第３ライン１３ｃと第２ライン１３ｂとの間に挿入され、その励磁により前記抵抗３９と直列に挿入された常閉の第１リレー接点３６を開放する第１リレーコイル３５とを具備してなることを特徴とする土砂崩壊検知装置。
【請求項６】
土砂崩壊監視位置に３本の第１ライン１３ａ、第２ライン１３ｂ、第３ライン１３ｃを張設し、このうちの２本の第１ライン１３ａ、第２ライン１３ｂに端末の抵抗３９を挿入して閉回路を構成するセンサーケーブル１３と、このセンサーケーブル１３の途中に所定間隔で設けられる崩壊検知ケース１４と、この崩壊検知ケース１４内で前記第１ライン１３ａと第２ライン１３ｂとを着脱自在に接続する手段と、前記崩壊検知ケース１４内における第１ライン１３ａと第２ライン１３ｂの少なくともいずれか一方に挿入され、所定角度以上の傾斜時に開放する傾斜スイッチ２４と、センサーケーブル１３の断線状態時に警報信号を出力する制御回路３０と、端末における第２ライン１３ｂと第３ライン１３ｃとの間に挿入され、その励磁により前記抵抗３９と並列に挿入された常開の第２リレー接点３８を閉鎖する第２リレーコイル３７とを具備してなることを特徴とする土砂崩壊検知装置。
【請求項７】
土砂崩壊監視位置に３本の第１ライン１３ａ、第２ライン１３ｂ、第３ライン１３ｃを張設し、このうちの２本の第１ライン１３ａ、第２ライン１３ｂに端末の抵抗３９を挿入して閉回路を構成するセンサーケーブル１３と、このセンサーケーブル１３の途中に所定間隔で設けられる崩壊検知ケース１４と、この崩壊検知ケース１４内で前記第１ライン１３ａと第２ライン１３ｂとを着脱自在に接続する手段と、前記崩壊検知ケース１４内における第１ライン１３ａと第２ライン１３ｂの少なくともいずれか一方に挿入され、所定角度以上の傾斜時に開放する傾斜スイッチ２４と、センサーケーブル１３の断線状態時に警報信号を出力する制御回路３０と、端末における第３ライン１３ｃと第２ライン１３ｂとの間にダイオード４１を介して挿入され、その励磁により前記抵抗３９と直列に挿入された常閉の第１リレー接点３６を開放する第１リレーコイル３５と、端末における第２ライン１３ｂと第３ライン１３ｃとの間にダイオード４３を介し、かつ、第１リレーコイル３５とダイオード４１の直列回路に対して並列に挿入され、その励磁により前記第１リレー接点３６と抵抗３９との直列回路と並列に挿入された常開の第２リレー接点３８を閉鎖する第２リレーコイル３７とを具備してなることを特徴とする土砂崩壊検知装置。
【請求項８】
崩壊検知ケース１４は、ソケット本体４９の接続端子５２とプラグ本体５０の接続ピン５３とを着脱自在に接続するコネクタ４８からなり、このコネクタ４８は、一端部に重さを偏らせるためのおもり６１を取り付けた支持板１７に固定し、前記ソケット本体４９及び／又はプラグ本体５０の内部の空洞部５１に傾斜スイッチ２４を収納してなることを特徴とする請求項１記載の土砂崩壊検知装置。
【請求項９】
崩壊検知ケース１４は、ソケット本体４９の接続端子５２とプラグ本体５０の接続ピン５３とを着脱自在に接続するコネクタ４８からなり、前記ソケット本体４９及び／又はプラグ本体５０の内部の空洞部５１に傾斜スイッチ２４を収納し、このコネクタ４８は、一端部に重さを偏らせるためのおもり６１を取り付けた支持板１７に固定し、この支持板１７に固定したコネクタ４８は、土砂崩壊監視位置の土木構造物６２であって、監視時には、傾斜スイッチ２４が閉じ、土砂崩壊時には、コネクタ４８と支持板１７が所定角度以上傾斜して傾斜スイッチ２４が開放するように取り付けてなることを特徴とする請求項１記載の土砂崩壊検知装置。
【発明の詳細な説明】
【０００１】
【発明の属する技術分野】
本発明は、土砂の崩壊、特に、鉄道や道路の路床を形成する盛土の崩壊を簡単な装置で確実に検知できるようにした土砂崩壊検知装置に関するものである。
【０００２】
【従来の技術】
従来、土砂崩壊を検出するには、特公平３−９２４７号公報記載のように、危険区域に複数本の杭を打ち込み、その杭に光ファイバーを張り巡らし、地すべりで杭が流されると、別に設けたカッターで切断されるか、カムにより局部的な曲げを発生させ、後方散乱光の急激な減少を検出することで地すべりの発生を検出する方法が知られている。
【０００３】
また、光ファイバーに代えて同軸ケーブルを張り巡らし、地すべりに伴う振動でケーブルの芯線と外周の絶縁体との間に容量変化を生じさせ、この容量変化に伴う電圧変化が閾値を越えたかどうかで地すべりを検知する方法もある。
【０００４】
【発明が解決しようとする課題】
以上のような従来の方法では、いずれも装置が大がかりで高価であり、しかも、地すべりの危険区域への設置や調整が面倒である、という問題があった。
【０００５】
また、一般に、切土１０は、土砂が安定しているため、表層に土砂崩壊が生じ易いが、盛土１１は、図２に示すように、切土１０の上に盛り上げただけで、切土１０との境界面になじんでいないため、大雨や地震によって底が抜けるように土砂が崩壊する。そのため、センサーとして張り巡らした光ファイバーや同軸ケーブルに直接衝撃が与えられずに宙吊りの状態になって、土砂崩れを確実に検出することができないことがある、という問題があった。
【０００６】
本発明は、大雨や地震によって底が抜けるように深層の土砂が崩壊するような、いわゆる盛土崩壊において、簡単な装置で、より確実に検知できる装置を提供することを目的とするものである。
【０００７】
【課題を解決するための手段】
本発明は、土砂崩壊監視位置に少なくとも２本の第１ライン１３ａ、第２ライン１３ｂを張設して閉回路を構成するセンサーケーブル１３と、このセンサーケーブル１３の途中に所定間隔で設けられる崩壊検知ケース１４と、この崩壊検知ケース１４内で前記第１ライン１３ａと第２ライン１３ｂとを着脱自在に接続する手段と、前記崩壊検知ケース１４内における第１ライン１３ａと第２ライン１３ｂの少なくともいずれか一方に挿入され、所定角度以上の傾斜時に開放する傾斜スイッチ２４と、センサーケーブル１３の断線状態時に警報信号を出力する制御回路３０とを具備し、前記崩壊検知ケース１４内に設けた配線板２１に、接続端子２２ａ、２２ｂと、接続端子２３ａ、２３ｂの２対を設け、これらのうちの接続端子２２ａと２３ａとの間に傾斜スイッチ２４を挿入し、接続端子２２ｂと２３ｂとの間を短絡し、崩壊検知ケース１４内で切断されたセンサーケーブル１３のうち、一方のセンサーケーブル１３の第１ライン１３ａを接続端子２２ａに、第２ライン１３ｂを接続端子２２ｂにそれぞれ着脱自在に接続し、他方のセンサーケーブル１３の第１ライン１３ａを接続端子２３ａに、第２ライン１３ｂを接続端子２３ｂにそれぞれ着脱自在に接続してなることを特徴とする土砂崩壊検知装置である。
【０００８】
盛土１１の崩壊により、センサーケーブル１３と崩壊検知ケース１４が土砂とともに流される。崩壊検知ケース１４の内部では、第１ライン１３ａ、第２ライン１３ｂが着脱自在に接続されているので、確実に外れて断線状態になる。すると、制御回路３０から基地局へ断線の警報が出力する。
第１ライン１３ａ、第２ライン１３ｂが断線状態にならずに、センサーケーブル１３により宙吊りになったような場合、崩壊検知ケース１４の内部の傾斜スイッチ２４が３０度以上傾くことにより内部の接点が開放して断線状態となる。従って、センサーケーブル１３の断線と傾斜スイッチ２４での断線の少なくともいずれか一方の断線で制御回路３０の警報出力端子３１から警報信号が出力し、監視機能をより確実にしている。
また、センサーケーブル１３が切断しなくても、センサーケーブル１３の第１ライン１３ａ又は第２ライン１３ｂが接続端子２２又は接続端子２３で抜け出ると、断線状態となるので、土砂崩壊の検知がより確実になるとともに、現場でのセンサーケーブル１３、崩壊検知ケース１４などの設置作業が容易になる。
【０００９】
【発明の実施の形態】
以下、本発明の一実施例を図面に基づき説明する。
図２において、１０は、地山そのものか地山の一部を切り取って形成した安定した切土１０である。この切土１０の裾部分には、盛土１１が盛り上げられて鉄道路床などが形成され、その上に軌条１２が敷設されている。
前記盛土１１の斜面部分の土砂崩壊検知場所には、本発明による土砂崩壊検知装置が設けられている。
【００１０】
本発明による土砂崩壊検知装置は、たとえば、長さ２００ｍのセンサーケーブル１３に、２０ｍ程度の間隔をもって崩壊検知ケース１４を設け、基端部には、制御回路３０が接続され、先端部には、チェック回路４７が接続されて構成されたものである。
【００１１】
図４および図５に示すように、前記センサーケーブル１３は、第１ライン１３ａ、第２ライン１３ｂ、第３ライン１３ｃの３本からなり、これらの一方端部は、それぞれ崩壊検知ケース１４内に導入され、他方端部は、それぞれ隣の崩壊検知ケース１４内に導入されて、鎖のように順次つながっている。また、このセンサーケーブル１３は、２個の崩壊検知ケース１４の間がアルミニウムなどの保護管１９内に挿通されて保護されている。
【００１２】
前記崩壊検知ケース１４内には、センサーケーブル１３が容易に引き抜き可能なように左右のケーブル挿入座２０を遊嵌し、かつ、内部には１０ｃｍ程度の余裕を持って導入されている。また、崩壊検知ケース１４の中央部に配線板２１が設けられ、この配線板２１の左右には、それぞれファストン端子などからなる接続端子２２ａ、２２ｂ、２２ｃと接続端子２３ａ、２３ｂ、２３ｃが２対設けられている。これらの接続端子２２ａ、２２ｂ、２２ｃと接続端子２３ａ、２３ｂ、２３ｃは、ソケット部分が配線板２１に固着され、プラグ部分が第１ライン１３ａ、第２ライン１３ｂ、第３ライン１３ｃの先端に接続されて、これらのソケット部分とプラグ部分が互いに着脱自在に差し込まれている。
【００１３】
また、配線板２１には、傾斜スイッチ２４が取り付けられ、接続端子２２ａと接続端子２３ａとがこの傾斜スイッチ２４を介して接続され、また、接続端子２２ｂと接続端子２３ｂとの間、接続端子２２ｃと接続端子２３ｃとの間は配線板２１の配線により短絡され、接続端子２３ａと接続端子２２ｂ（又は接続端子２３ｂ）との間には、スイッチ２７付きの表示灯２６が挿入され、さらに、接続端子２２ａ（又は接続端子２３ａ）と接続端子２２ｂ（又は接続端子２３ｂ）との間には、コンデンサ２５が挿入されている。
【００１４】
前記傾斜スイッチ２４は、内部に導電性のボールが収納されており、一定角度θ（例えば３０度）傾斜すると接点が開くものである。
前記コンデンサ２５は、ライン抵抗や後述の端末の抵抗３９などの抵抗値とで時定数回路を構成し、人間や動物に蹴られたり、土砂崩壊のない地震が発生したり、列車が通過したりするなど一時的に振動が発生しても誤動作しないような時定数（例えば３秒間）を持たせるためのものである。
前記表示灯２６は、ＬＥＤなどからなり、この表示灯２６を押している間だけスイッチ２７がオンして監視中の回線をチェックするためのものである。
【００１５】
前記崩壊検知ケース１４内に収納されたすべての電気部品は、電気的に絶縁性を有する軟質充填材２８が充填された後、蓋２９が被せられる。このことにより、崩壊検知ケース１４の内部に雨水が入り込んで短絡事故を発生しないようになっている。但し、軟質充填材２８が充填されても、接続端子２２、２３の着脱は確実に行われるようになっている。
【００１６】
図１に示すように、前記チェック回路４７は、前記第１ライン１３ａと第２ライン１３ｂとの先端部に、第１リレー接点３６と抵抗３９の直列回路と、第２リレー接点３８とが並列に接続され、また、第２ライン１３ｂと第３ライン１３ｃとの先端部には、第１リレーコイル３５と逆流防止用ダイオード４１の直列回路と、第２リレーコイル３７と逆流防止用ダイオード４３の直列回路とが並列に接続されている。さらに、前記第１リレーコイル３５には、前記ダイオード４１と逆向きに放電用ダイオード４０が接続され、前記第２リレーコイル３７には、前記ダイオード４３と逆向きに放電用ダイオード４２が接続されている。
【００１７】
前記制御回路３０は、断線、転倒などの警報信号を出力する警報出力端子３１、センサーケーブル１３の短絡などのエラー信号を出力するエラー出力端子３２、断線、転倒などのチェック用電源（２４Ｖ）を供給する電源端子３３、短絡などのチェック用電源（５Ｖ）を供給する電源端子３４を具備している。この制御回路３０は、有線、無線などで基地局へ接続されている。
【００１８】
以上のように構成されたセンサーケーブル１３、崩壊検知ケース１４の現場設置について、図２および図３（ａ）（ｂ）に基づき説明する。
ケース支持杭１５が盛土１１の斜面部分などの土砂崩壊検知場所であって、地すべり方向に対して略直交するように、所定間隔で打ち込まれる。これらのケース支持杭１５の上端部に、取付け枠１８と支持板１７をもってそれぞれ崩壊検知ケース１４が取り付けられる。このとき、センサーケーブル１３が地面から高さｈ（例えば、１０〜２０ｃｍ程度）だけ浮かして設置される。崩壊検知ケース１４の取付けに際しては、図３に示すように、傾斜スイッチ２４が水平線Ａに略一致するように取り付けられる。但し、この崩壊検知ケース１４の取付けに際しては、ケース支持杭１５の挿入線Ｄに平行な線Ｃとのなす角αが所定角度以下となるように設定される。さらに詳しくは、図７に示すように、センサーケーブル１３を支点として宙吊りになったときのケース支持杭１５の中心線Ｄと垂直線Ｂとのなす角度をβとしたときに、水平線Ｈと傾斜スイッチ２４の底面線Ａとのなす角θが傾斜スイッチ２４の動作角度以上になるように、例えば、β＝１０度とすると、
α＜９０度−θ（＝３０度）−β（＝１０度）＝５０度
となり、αを５０度以下に設定する。
【００１９】
前記順次取り付けられた崩壊検知ケース１４の間には、センサーケーブル１３が張設される。このセンサーケーブル１３の両端部は、支持板１７の両側の台座４４の上に載せられ、Ｕ字金具４５とナット４６で保持される。センサーケーブル１３が崩壊検知ケース１４の内部で接続されることは、すでに述べたとおりである。
２つの崩壊検知ケース１４の間には、必要に応じて、１乃至数個所に螺旋形のケーブル支持杭１６がねじ込まれてその上端部にセンサーケーブル１３が前記同様、高さｈだけ浮かして設置される。センサーケーブル１３を地上から浮かすのは、盛土１１に生えた雑草を刈り取るときなどにセンサーケーブル１３が切断されたり、不必要な衝撃が与えられるのを防止するためである。
前記センサーケーブル１３の張設する本数は、１本でもよいが、複数本を所定間隔で張設するようにしてもよい。
【００２０】
次に本発明による土砂崩壊検知装置の作用を説明する。
（１）回線の正常状態の確認
制御回路３０から第１ライン１３ａと第２ライン１３ｂとの間に所定の電圧を印加しておく。
すべての傾斜スイッチ２４がオンし、すべての接続端子２２と２３が接続されている正常な状態では、チェック回路４７の第１リレー接点３６がオンしているので、直列接続された第１ライン１３ａ、第２ライン１３ｂ間が導通し、抵抗３９を介して電流が流れ、制御回路３０には、正常状態を示す信号が出力する。
もし正常状態を示す信号が出力していない場合において、どの崩壊検知ケース１４に異常状態が発生しているかを確認するためには、制御回路３０に近い側の崩壊検知ケース１４における表示灯２６を押してスイッチ２７を閉じる。表示灯２６が点灯すれば、少なくとも制御回路３０から点灯した表示灯２６のある崩壊検知ケース１４までの回線は正常であることが確認される。同様にして制御回路３０に近い側から順次表示灯２６が点灯するかどうかを確認する。点灯しない場合には、その崩壊検知ケース１４内に異常が発生していることが確認される。
【００２１】
（２）センサーケーブル１３の断線によって正常に動作するかどうかの確認
１日一回など、定期的に断線状態を強制的に発生させ、本発明による土砂崩壊検知装置が正常に動作するかどうかをチェックする。
そのために、基地局からの指令信号により、制御回路３０内にて電源端子３３から第３ライン１３ｃに＋２４Ｖを印加し、第２ライン１３ｂをアースに接続する。すると、ダイオード４１を介して第１リレーコイル３５が励磁され、第１リレー接点３６が開放する。第１リレー接点３６が開放すると、第１ライン１３ａと第２ライン１３ｂの閉回路中に断線状態が発生する。この断線状態により制御回路３０の警報出力端子３１から断線が発生したとする警報出力信号が基地局へ送られる。チェック後に第３ライン１３ｃへの印加を停止すると、第１リレー接点３６は、自動的に復帰して正常状態（監視状態）に戻る。
【００２２】
（３）第１ライン１３ａと第２ライン１３ｂの短絡によるエラーによって正常に動作するかどうかの確認
定期的に第１ライン１３ａと第２ライン１３ｂの間に短絡状態を強制的に発生させ、本発明による土砂崩壊検知装置が正常に動作するかどうかをチェックする。
そのために、基地局からの指令信号により、制御回路３０内にて電源端子３４から第２ライン１３ｂに＋５Ｖを印加し、第３ライン１３ｃをアースに接続する。すると、ダイオード４３を介して第１リレーコイル３５が励磁され、第２リレー接点３８が閉鎖する。第２リレー接点３８が閉鎖すると、第１ライン１３ａと第２ライン１３ｂの閉回路中に抵抗３９を通らない短絡状態が発生する。この短絡により制御回路３０のエラー出力端子３２からエラーが発生したとするエラー出力信号が基地局へ送られる。チェック後に第２ライン１３ｂへの印加を停止すると、第２リレー接点３８は、自動的に復帰して正常状態（監視状態）に戻る。
【００２３】
（４）土砂崩壊時の動作
盛土１１が図６に示すように崩壊したものとする。この盛土１１の崩壊により、ケース支持杭１５、ケーブル支持杭１６が流されるので、ケース支持杭１５、ケーブル支持杭１６にて支持されているセンサーケーブル１３も土砂とともに流される。
崩壊検知ケース１４の内部では、第１ライン１３ａ、第２ライン１３ｂが接続端子２２、接続端子２３に着脱自在に接続され、また、センサーケーブル１３は崩壊検知ケース１４にケーブル挿入座２０によって抜けやすく取り付けられているので、接続端子２２、接続端子２３部分で確実に外れて断線状態になる。すると、前述のように制御回路３０の警報出力端子３１から基地局へ断線の警報が出力する。
盛土１１は、切土１０と異なり、深層部分が流されて表層部分にあまり衝撃が与えられず、図６及び図７のように接続端子２２、接続端子２３における第１ライン１３ａ、第２ライン１３ｂが断線せず、センサーケーブル１３により宙吊りになることもあり得る。このような場合、ケース支持杭１５が錘の役目をするので、崩壊検知ケース１４の内部の傾斜スイッチ２４が確実に３０度以上傾いて、内部の接点が開放して断線状態となる。従って、接続端子２２、接続端子２３部分での断線状態と傾斜スイッチ２４での断線状態の少なくともいずれか一方の断線状態で制御回路３０の警報出力端子３１から警報信号が出力し、監視機能をより確実にしている。
【００２４】
前記実施例では、ケース支持杭１５の上端に取り付けたが、本発明は、これに限られるものではなく、盛土１１に形成したコンクリートなどの台座上に取り付けるようにしてもよい。
前記実施例では、センサーケーブル１３を地上からやや浮かして取り付けたが、本発明は、これに限られるものではなく、地中に埋め込むようにしてもよい。この場合、表示灯２６とスイッチ２７のみ地上に出して視覚的なチェックができるようにする。
【００２５】
前記実施例では、傾斜スイッチ２４等は、直方体状の崩壊検知ケース１４を設けて、その中に収納し、かつ、防水のため、収納後に軟質充填材２８を充填した。
しかし、構成の簡素化と形状のコンパクト化のため、上述のような本発明装置用として作られた新たな崩壊検知ケース１４に代えて、図８及び図９に示すように、既存の又は簡単な構成のコネクタ４８を崩壊検知ケース１４として用い、その中に、傾斜スイッチ２４等を収納することもできる。すなわち、これら図８及び図９において、コネクタ４８は、筒状のソケット本体４９とプラグ本体５０とからなるので、これらソケット本体４９又はプラグ本体５０の内部の空洞部５１に傾斜スイッチ２４等を収納する。この図８及び図９の例では、ソケット本体４９の空洞部５１に傾斜スイッチ２４等を収納した例を示しており、以下に、その詳細な構成を説明する。
【００２６】
前記ソケット本体４９は、その空洞部５１に連通した一端側に、圧接筒５７と締め付けキャップ５８が設けられ、また、他端側に、中央に接続端子５２を取り付けた絶縁体５４が嵌合筒５５によって被覆され、この嵌合筒５５がソケット本体４９に着脱自在に取り付けられる。このようなソケット本体４９において、まず、ソケット本体４９の一端側の締め付けキャップ５８と圧接筒５７を緩めて、センサーケーブル１３を通し、また、ソケット本体４９の他端側の嵌合筒５５を外した状態で傾斜スイッチ２４等を搭載した配線板２１のプリント配線端子部にセンサーケーブル１３と接続端子５２とを接続する。この状態で、配線板２１をソケット本体４９の空洞部５１に収納し、嵌合筒５５をソケット本体４９に固定する。このとき、傾斜スイッチ２４が上向きで閉じている状態となるように、ソケット本体４９の外側の目印に合せられる。また、一端部の締め付けキャップ５８をソケット本体４９に締め付けると、圧接筒５７とソケット本体４９が相互のテーパー面で圧接してセンサーケーブル１３が密着し、防水効果が得られる。
【００２７】
前記プラグ本体５０は、接続ピン５３と連結リング５６を有する点で、ソケット本体４９と異なるが、その他の構成は、ソケット本体４９とほぼ同じであり、内部の空洞部５１にてセンサーケーブル１３と接続ピン５３とが接続される。
このように構成されたソケット本体４９にプラグ本体５０を差し込むと、ソケット本体４９の接続端子５２とプラグ本体５０の接続ピン５３が接続され、さらに、プラグ本体５０の連結リング５６をソケット本体４９の嵌合筒５５にねじ込んで固定する。このようにして接続されたコネクタ４８は、防水チューブ５９で包み込んで熱収縮性により密着させ、より一層の防水効果を持たせた後、前記傾斜スイッチ２４が上向きになるようにしておもり６１つきの支持板１７の上に載せ、ソケット本体４９側とプラグ本体５０側の２個所を下向きＵ字形の固定具６０で固定する。
【００２８】
この支持板１７に取り付けたコネクタ４８は、前記図１ないし図７に示すと同様の方法で土砂崩壊検知装置として使用される。ただし、監視区域への設置に際しては、前記実施例とは異なり、ケース支持杭１５を使用せずに、コネクタ４８を取り付けた支持板１７を直接地上又は地中に水平に設置する。すると、支持板１７の一端部には、重さを偏らせるためのおもり６１が設けられているので、土砂崩壊でコネクタ４８がセンサーケーブル１３につながったまま宙吊りの状態になったときに、コネクタ４８の内部の傾斜スイッチ２４が強制的に９０度回転させられて、内部のボールが移動して傾斜スイッチ２４が切れるようになっている。
【００２９】
コネクタ４８を取り付けた支持板１７は、直接地上又は地中に水平に設置する場合に限られるものではなく、図２に示すような切土１０と盛土１１との間、道路、崖地、河川、砂丘地などに設置したフェンス、擁壁、防護屋根、ガードレールなどの土木構造物６２の上部に設置することもできる。このように、支持板１７に固定したコネクタ４８は、土砂崩壊監視位置の土木構造物６２に取り付けることにより、監視時には、傾斜スイッチ２４が閉じているが、土砂崩壊時に土木構造物６２が崩壊してコネクタ４８と支持板１７が土木構造物６２から分離したときは、センサーケーブル１３により宙吊り状態になっておもり６１により傾斜し、また、コネクタ４８と支持板１７が取り付いたまま土木構造物６２が傾いたときは土木構造物６２と一緒に所定角度以上傾斜して傾斜スイッチ２４が開放する。したがって、土砂崩壊のみならず、土砂崩壊によるフェンス、擁壁、防護屋根などの土木構造物６２の傾きを検知することができる。
【００３０】
図８では、ソケット本体４９の内部の空洞部５１に傾斜スイッチ２４などを収納したがこれに限られるものではなく、プラグ本体５０の内部の空洞部５１に収納するようにしても良く、また、傾斜スイッチ２４その他の必要部品を二つに分けてそれぞれの空洞部５１に収納しても良い。
【００３１】
また、土砂崩壊時のセンサーケーブル１３の断線は、センサーケーブル１３と配線板２１との接続の外れ、又は、センサーケーブル１３と接続ピン５３との接続の外れによって検出できるが、プラグ本体５０の連結リング５６をソケット本体４９の嵌合５５に連結しないでおくことにより、ソケット本体４９の接続端子５２とプラグ本体５０の接続ピン５３との接続の外れによって検出するようにしても良い。
なお、図４及び図５では、表示灯２６を取り付けたが、図８及び図９の例では、取り付け位置の関係でこれを省くようにしても良い。
【００３２】
【発明の効果】
請求項１記載の発明によれば、土砂崩壊監視位置に少なくとも２本の第１ライン１３ａ、第２ライン１３ｂを張設して閉回路を構成するセンサーケーブル１３と、このセンサーケーブル１３の途中に所定間隔で設けられる崩壊検知ケース１４と、この崩壊検知ケース１４内で前記第１ライン１３ａと第２ライン１３ｂとを着脱自在に接続する手段と、前記崩壊検知ケース１４内における第１ライン１３ａと第２ライン１３ｂの少なくともいずれか一方に挿入され、所定角度以上の傾斜時に開放する傾斜スイッチ２４と、センサーケーブル１３の断線状態時に警報信号を出力する制御回路３０とを具備したので、センサーケーブル１３の断線状態のみならず、センサーケーブル１３が断線せずに盛土１１の深層部分が流されて傾斜スイッチ２４が所定角度以上傾いた場合にも確実に土砂崩壊を検知できる。
【００３３】
また、崩壊検知ケース１４内に設けた配線板２１に、接続端子２２ａ、２２ｂと、接続端子２３ａ、２３ｂの２対を設け、これらのうちの接続端子２２ａと２３ａとの間に傾斜スイッチ２４を挿入し、接続端子２２ｂと２３ｂとの間を短絡し、崩壊検知ケース１４内で切断されたセンサーケーブル１３のうち、一方のセンサーケーブル１３の第１ライン１３ａを接続端子２２ａに、第２ライン１３ｂを接続端子２２ｂにそれぞれ着脱自在に接続し、他方のセンサーケーブル１３の第１ライン１３ａを接続端子２３ａに、第２ライン１３ｂを接続端子２３ｂにそれぞれ着脱自在に接続してなるので、センサーケーブル１３が切断しなくても、センサーケーブル１３の第１ライン１３ａ又は第２ライン１３ｂが接続端子２２又は接続端子２３で抜け出ると、断線状態となるので、土砂崩壊の検知がより確実になるとともに、現場でのセンサーケーブル１３、崩壊検知ケース１４などの設置作業が容易になる。
【００３４】
請求項２記載の発明によれば、接続端子２３ａと接続端子２３ｂとの間に、スイッチ２７付きの表示灯２６を挿入したので、崩壊検知ケース１４の内部に故障が発生したような場合、複数個の崩壊検知ケース１４のどの個所に故障が発生したかを簡単にチェックできる。
【００３６】
請求項３記載の発明によれば、崩壊検知ケース１４は、土砂崩壊監視位置に差し込んだケース支持杭１５の上端部であって、崩壊検知ケース１４とケース支持杭１５がセンサーケーブル１３により宙吊り状態のとき、ケース支持杭１５が錘となって所定角度以上傾斜して傾斜スイッチ２４が開放するように取り付けたので、特に、盛土１１のように深層部分に土砂崩壊があって、断線が生じなくても土砂崩壊を確実に検知できる。
【００３８】
請求項４記載の発明によれば、隣合う崩壊検知ケース１４の間のセンサーケーブル１３に保護管１９を被せ、この保護管１９における隣合う崩壊検知ケース１４の間の中間位置を１又は複数個のケーブル支持杭１６で保持したので、センサーケーブル１３を全区間で同一条件で設置できる。
【００３９】
請求項５記載の発明によれば、土砂崩壊監視位置に３本の第１ライン１３ａ、第２ライン１３ｂ、第３ライン１３ｃを張設し、このうちの２本の第１ライン１３ａ、第２ライン１３ｂに端末の抵抗３９を挿入して閉回路を構成するセンサーケーブル１３と、このセンサーケーブル１３の途中に所定間隔で設けられる崩壊検知ケース１４と、この崩壊検知ケース１４内で前記第１ライン１３ａと第２ライン１３ｂとを着脱自在に接続する手段と、前記崩壊検知ケース１４内における第１ライン１３ａと第２ライン１３ｂの少なくともいずれか一方に挿入され、所定角度以上の傾斜時に開放する傾斜スイッチ２４と、センサーケーブル１３の断線状態時に警報信号を出力する制御回路３０と、端末における第３ライン１３ｃと第２ライン１３ｂとの間に挿入され、その励磁により前記抵抗３９と直列に挿入された常閉の第１リレー接点３６を開放する第１リレーコイル３５とを具備したので、１日一回など、定期的に、断線状態を強制的に発生させ、本発明による土砂崩壊検知装置が正常に動作するかどうかをチェックすることができる。
【００４０】
請求項６記載の発明によれば、土砂崩壊監視位置に３本の第１ライン１３ａ、第２ライン１３ｂ、第３ライン１３ｃを張設し、このうちの２本の第１ライン１３ａ、第２ライン１３ｂに端末の抵抗３９を挿入して閉回路を構成するセンサーケーブル１３と、このセンサーケーブル１３の途中に所定間隔で設けられる崩壊検知ケース１４と、この崩壊検知ケース１４内で前記第１ライン１３ａと第２ライン１３ｂとを着脱自在に接続する手段と、前記崩壊検知ケース１４内における第１ライン１３ａと第２ライン１３ｂの少なくともいずれか一方に挿入され、所定角度以上の傾斜時に開放する傾斜スイッチ２４と、センサーケーブル１３の断線状態時に警報信号を出力する制御回路３０と、端末における第２ライン１３ｂと第３ライン１３ｃとの間に挿入され、その励磁により前記抵抗３９と並列に挿入された常開の第２リレー接点３８を閉鎖する第２リレーコイル３７とを具備したので、定期的に第１ライン１３ａと第２ライン１３ｂの間に短絡状態を強制的に発生させ、本発明による土砂崩壊検知装置が正常に動作するかどうかをチェックすることができる。
【００４１】
請求項７記載の発明によれば、土砂崩壊監視位置に３本の第１ライン１３ａ、第２ライン１３ｂ、第３ライン１３ｃを張設し、このうちの２本の第１ライン１３ａ、第２ライン１３ｂに端末の抵抗３９を挿入して閉回路を構成するセンサーケーブル１３と、このセンサーケーブル１３の途中に所定間隔で設けられる崩壊検知ケース１４と、この崩壊検知ケース１４内で前記第１ライン１３ａと第２ライン１３ｂとを着脱自在に接続する手段と、前記崩壊検知ケース１４内における第１ライン１３ａと第２ライン１３ｂの少なくともいずれか一方に挿入され、所定角度以上の傾斜時に開放する傾斜スイッチ２４と、センサーケーブル１３の断線状態時に警報信号を出力する制御回路３０と、端末における第３ライン１３ｃと第２ライン１３ｂとの間にダイオード４１を介して挿入され、その励磁により前記抵抗３９と直列に挿入された常閉の第１リレー接点３６を開放する第１リレーコイル３５と、端末における第２ライン１３ｂと第３ライン１３ｃとの間にダイオード４３を介し、かつ、第１リレーコイル３５とダイオード４１の直列回路に対して並列に挿入され、その励磁により前記第１リレー接点３６と抵抗３９との直列回路と並列に挿入された常開の第２リレー接点３８を閉鎖する第２リレーコイル３７とを具備したので、１日一回など、定期的に、断線状態を強制的に発生させ、本発明による土砂崩壊検知装置が正常に動作するかどうかをチェックすることができるとともに、第１ライン１３ａと第２ライン１３ｂの間に短絡状態を強制的に発生させ、本発明による土砂崩壊検知装置が正常に動作するかどうかをチェックすることができる。
【００４２】
請求項８記載の発明によれば、崩壊検知ケース１４は、ソケット本体４９の接続端子５２とプラグ本体５０の接続ピン５３とを着脱自在に接続するコネクタ４８からなり、前記ソケット本体４９及び／又はプラグ本体５０の内部の空洞部５１に傾斜スイッチ２４を収納したので、簡単で、かつ、コンパクトに構成でき、しかも、取り扱いも極めて便利である。
【００４３】
また、コネクタ４８は、一端部に重さを偏らせるためのおもり６１を取り付けた支持板１７に固定したので、土砂崩壊時に宙ぶらりんとなったときに、傾斜スイッチ２４が強制的に回転させられ、傾斜の検出が確実に行える。
【００４４】
請求項９記載の発明によれば、支持板１７に固定したコネクタ４８は、土砂崩壊監視位置の土木構造物６２に取り付けたので、監視時には、傾斜スイッチ２４が閉じているが、土砂崩壊時にコネクタ４８と支持板１７がセンサーケーブル１３により宙吊り状態になったときはおもり６１により、また、土木構造物６２が傾いたときは土木構造物６２と一緒に所定角度以上傾斜して傾斜スイッチ２４が開放する。したがって、土砂崩壊のみならず、土砂崩壊によるフェンス、擁壁、防護屋根などの土木構造物６２の傾きを検知することができる。
【図面の簡単な説明】
【図１】本発明による土砂崩壊検知装置の一実施例を示す電気回路図である。
【図２】本発明による土砂崩壊検知装置を盛土１１に設置した状態を示す斜視図である。
【図３】（ａ）は、ケース支持杭１５を盛土１１に打ち込んで崩壊検知ケース１４を取り付けた状態を示す説明図、（ｂ）は、ケーブル支持杭１６を盛土１１に差し込んでセンサーケーブル１３を保持している状態を示す説明図である。
【図４】本発明による土砂崩壊検知装置において、崩壊検知ケース１４から蓋２９を除いたときの内部の状態を示す平面図である。
【図５】図４における縦断面図である。
【図６】本発明の土砂崩壊検知装置を設置した盛土１１の崩壊状態の説明図である。
【図７】崩壊検知ケース１４がケース支持杭１５に取り付けられたままセンサーケーブル１３にて宙吊り状態のときの正面図である。
【図８】本発明による土砂崩壊検知装置に用いられる崩壊検知ケース１４としてコネクタ４８を用いた他の実施例を示すソケット本体４９とプラグ本体５０を切り離した状態の断面図である。
【図９】図８において、ソケット本体４９とプラグ本体５０を接続して支持板１７に取り付けた状態の正面図である。
【符号の説明】
１０…切土、１１…盛土、１２…軌条、１３…センサーケーブル、１４…崩壊検知ケース、１５…ケース支持杭、１６…ケーブル支持杭、１７…支持板、１８…取付け枠、１９…保護管、２０…ケーブル挿入座、２１…配線板、２２、２２ａ、２２ｂ、２２ｃ…接続端子、２３、２３ａ、２３ｂ、２３ｃ…接続端子、２４…傾斜スイッチ、２５…コンデンサ、２６…表示灯、２７…スイッチ、２８…軟質充填材、２９…蓋、３０…制御回路、３１…警報出力端子、３２…エラー出力端子、３３…電源端子、３４…電源端子、３５…第１リレーコイル、３６…第１リレー接点、３７…第２リレーコイル、３８…第２リレー接点、３９…抵抗、４０…ダイオード、４１…ダイオード、４２…ダイオード、４３…ダイオード、４４…台座、４５…Ｕ字金具、４６…ナット、４７…チェック回路、４８…コネクタ、４９…−ソケット本体、５０…プラグ本体、５１…空洞部、５２…接続端子、５３…接続ピン、５４…絶縁体、５５…嵌合筒、５６…連結リング、５７…圧接筒、５８…締め付けキャップ、５９…防水チューブ、６０…固定具、６１…おもり、６２…土木構造物。
【図１】
0003635050.tif 000002
【図２】
0003635050.tif 000003
【図３】
0003635050.tif 000004
【図４】
0003635050.tif 000005
【図５】
0003635050.tif 000006
【図６】
0003635050.tif 000007
【図７】
0003635050.tif 000008
【図８】
0003635050.tif 000009
【図９】
0003635050.tif 000010